(57)【要約】【課題】キャビネット１６内に線路成端ユニット１８と局内装置側コネクタユニット２０とを設置し、両ユニット間を両端コネクタ付きジャンパ光コード３２で接続するようにした光ケーブル主配線盤で、監視装置用の信号を得るためのカプラモジュールの光コードを前記ジャンパ光コードと同様に扱えるようにする。コストを安くする。【解決手段】キャビネット１６内に、所要数に光カプラが組み込まれたカプラモジュール３８を設置する。各光カプラのＡポートからは先端に前記局内装置側コネクタユニット２０に接続されるコネクタ４４を取り付けた光コード４２を引き出し、Ｂポートからは先端に前記線路成端ユニット１８に接続されるコネクタ４８を取り付けた光コード４６を引き出し、Ｃポート及びＤポートには監視装置へ行く光ファイバ心線のコネクタが接続されるアダプタを取り付けた。【選択図】　　図１
2004126481.tif 000002
【特許請求の範囲】
【請求項１】
キャビネット内に、外部から引き込まれた光ケーブルの光ファイバ心線をコネクタで成端した線路成端ユニットと、局内装置側の光コードをコネクタで成端した局内装置側コネクタユニットとを設置し、前記線路成端ユニットのコネクタと局内装置側コネクタユニットのコネクタ間を両端コネクタ付きジャンパ光コードで接続するようにした光ケーブル主配線盤において、
前記キャビネット内に、幹線用のＡポート及びＢポートと分岐用のＣポート及びＤポートを有する光カプラが所要数組み込まれたカプラモジュールを設置し、各光カプラのＡポートからは先端に前記局内装置側コネクタユニットに接続されるコネクタを取り付けた光コードを引き出し、Ｂポートからは先端に前記線路成端ユニットに接続されるコネクタを取り付けた光コードを引き出し、Ｃポート及びＤポートには監視装置へ行く光ファイバ心線のコネクタが接続されるアダプタを取り付けたことを特徴とする光ケーブル主配線盤。
【請求項２】
請求項１記載の光ケーブル主配線盤であって、上下関係にある線路成端ユニットと局内装置側コネクタユニットの間に、両端コネクタ付きジャンパ光コードの中間を支持するセンターコードトレイが設けられ、カプラモジュールはキャビネット内の最下部に設置され、各光カプラのＡポート及びＢポートから引き出される先端コネクタ付き光コードは前記ジャンパ光コードと同様にその中間を前記センターコードトレイに支持されていることを特徴とする光ケーブル主配線盤。
【請求項３】
キャビネット内に、外部から引き込まれた光ケーブルの光ファイバ心線をコネクタで成端した線路成端ユニットと、局内装置側の光コードをコネクタで成端した局内装置側コネクタユニットとを設置し、前記線路成端ユニットのコネクタと局内装置側コネクタユニットのコネクタ間を両端コネクタ付きジャンパ光コードで接続するようにした光ケーブル主配線盤において、
前記キャビネット内に、幹線用のＡポート及びＢポートと分岐用のＣポート及びＤポートを有する光カプラが所要数組み込まれたカプラモジュールを設置し、各光カプラのＡポートないしＤポートにはそれぞれコネクタ嵌合用のアダプタを取り付け、Ａポートのアダプタには前記局内装置側コネクタユニットに接続される両端コネクタ付き光コードを接続し、Ｂポートのアダプタには前記線路成端ユニットに接続される両端コネクタ付き光コードを接続し、Ｃポート及びＤポートのアダプタには監視装置へ行く光ファイバ心線のコネクタを接続するようにしたことを特徴とする光ケーブル主配線盤。
【請求項４】
請求項３記載の光ケーブル主配線盤であって、上下関係にある線路成端ユニットと局内装置側コネクタユニットの間に、両端コネクタ付きジャンパ光コードの中間を支持するセンターコードトレイが設けられ、カプラモジュールはキャビネット内の最下部に設置され、各光カプラのＡポート及びＢポートのアダプタに接続される両端コネクタ付き光コードは前記ジャンパ光コードと同様にその中間を前記センターコードトレイに支持されていることを特徴とする光ケーブル主配線盤。
【請求項５】
請求項１ないし４のいずれかに記載の光ケーブル主配線盤であって、キャビネット内に配線される多数の光コードが複数のグループに分けて配線され、各グループの配線ルートに設置されるクランプが、光コードのグループ毎に色分けされていることを特徴とする光ケーブル主配線盤。
【発明の詳細な説明】
【０００１】
【発明の属する技術分野】本発明は、外部から局内に引き込まれた光ケーブルの光ファイバ心線と、局内装置側の光コードとを切替可能に接続する光ケーブル主配線盤に関するものである。
【０００２】
【従来の技術】光ケーブル主配線盤は、キャビネット内に、外部から引き込まれた光ケーブルの光ファイバ心線をコネクタで成端した線路成端ユニットと、局内装置側の光コードをコネクタで成端した局内装置側コネクタユニットとを設置し、前記線路成端ユニットのコネクタと局内装置側コネクタユニットのコネクタ間を両端コネクタ付きジャンパ光コードで接続して、ケーブル側と局内装置側の切替接続を可能にしたものである。
【０００３】光ケーブル主配線盤においては、その中に配線された多数の心線のうち、一部の心線について、通信状態を監視する必要が生じる場合がある。このような場合には、図６に示すように、光ケーブル主配線盤１０の近くに監視装置１２が設置される。従来は、この監視装置１２内に、所要数の光カプラが組み込まれたカプラモジュールを設置して、各光カプラのＡポートをコネクタ付き光コードで主配線盤１０内の局内装置側コネクタユニットに接続し、Ｂポートをコネクタ付き光コードで主配線盤１０内の線路成端ユニットに接続し、Ｃポート、Ｄポートから監視装置１２用の信号を得るようにしている。監視装置１２で得た信号は管理装置１４で管理される。
【０００４】
【発明が解決しようとする課題】従来のこの種の装置には次のような問題があった。
（１）　カプラモジュールのコネクタ付き光コードは、光ケーブル主配線盤の外から導入することになるため、、主配線盤の入口でいったん固定する必要があり、主配線盤内のジャンパ光コードと同様に扱えないため、配線作業が複雑になる。
（２）　主配線盤と監視装置の位置関係により、カプラモジュールのコネクタ付き光コードの長さが異なり、設計、製作が面倒である。
【０００５】本発明の目的は、以上のような課題を解決した光ケーブル主配線盤を提供することにある。
【０００６】
【課題を解決するための手段】この目的を達成するため本発明は、キャビネット内に、外部から引き込まれた光ケーブルの光ファイバ心線をコネクタで成端した線路成端ユニットと、局内装置側の光コードをコネクタで成端した局内装置側コネクタユニットとを設置し、前記線路成端ユニットのコネクタと局内装置側コネクタユニットのコネクタ間を両端コネクタ付きジャンパ光コードで接続するようにした光ケーブル主配線盤において、
前記キャビネット内に、幹線用のＡポート及びＢポートと分岐用のＣポート及びＤポートを有する光カプラが所要数組み込まれたカプラモジュールを設置し、各光カプラのＡポートからは先端に前記局内装置側コネクタユニットに接続されるコネクタを取り付けた光コードを引き出し、Ｂポートからは先端に前記線路成端ユニットに接続されるコネクタを取り付けた光コードを引き出し、Ｃポート及びＤポートには監視装置へ行く光ファイバ心線のコネクタが接続されるアダプタを取り付けたことを特徴とするものである。
【０００７】上記の光ケーブル主配線盤は、上下関係にある線路成端ユニットと局内装置側コネクタユニットの間に、両端コネクタ付きジャンパ光コードの中間を支持するセンターコードトレイが設けられ、カプラモジュールはキャビネット内の最下部に設置され、各光カプラのＡポート及びＢポートから引き出される先端コネクタ付き光コードは前記ジャンパ光コードと同様にその中間を前記センターコードトレイに支持されている構成とすることが好ましい。
【０００８】また本発明は、キャビネット内に、外部から引き込まれた光ケーブルの光ファイバ心線をコネクタで成端した線路成端ユニットと、局内装置側の光コードをコネクタで成端した局内装置側コネクタユニットとを設置し、前記線路成端ユニットのコネクタと局内装置側コネクタユニットのコネクタ間を両端コネクタ付きジャンパ光コードで接続するようにした光ケーブル主配線盤において、
前記キャビネット内に、幹線用のＡポート及びＢポートと分岐用のＣポート及びＤポートを有する光カプラが所要数組み込まれたカプラモジュールを設置し、各光カプラのＡポートないしＤポートにはそれぞれコネクタ嵌合用のアダプタを取り付け、Ａポートのアダプタには前記局内装置側コネクタユニットに接続される両端コネクタ付き光コードを接続し、Ｂポートのアダプタには前記線路成端ユニットに接続される両端コネクタ付き光コードを接続し、Ｃポート及びＤポートのアダプタには監視装置へ行く光ファイバ心線のコネクタを接続する構成とすることもできる。
【０００９】この光ケーブル主配線盤の場合も、上下関係にある線路成端ユニットと局内装置側コネクタユニットの間に、両端コネクタ付きジャンパ光コードの中間を支持するセンターコードトレイが設けられ、カプラモジュールはキャビネット内の最下部に設置され、各光カプラのＡポート及びＢポートのアダプタに接続される両端コネクタ付き光コードは前記ジャンパ光コードと同様にその中間を前記センターコードトレイに支持されている構成とすることが好ましい。
【００１０】本発明に係る光ケーブル主配線盤は、キャビネット内に配線される多数の光コードが複数のグループに分けて配線され、各グループの配線ルートに設置されるクランプが、光コードのグループ毎に色分けされているものであることが好ましい。
【００１１】
【発明の実施の形態】以下、本発明の実施の形態を、図面を参照して詳細に説明する。
【００１２】
〔実施形態１〕　図１及び図２は本発明の一実施形態を示す。この光ケーブル主配線盤１０は、キャビネット１６内の下部に線路成端ユニット１８を、上部に局内装置側コネクタユニット２０を設置したものである。線路成端ユニット１８は、外部から局内に引き込まれた光ケーブル２２の多数の光ファイバ心線を内部配線材２４を介してコネクタ２６で成端したものである。また局内装置側コネクタユニット２０は、局内装置に接続される多数の光コード２８をコネクタ３０で成端したものである。
【００１３】線路成端ユニット１８と局内装置側コネクタユニット２０間は、両端にコネクタ３４を取り付けたジャンパ光コード３２で接続するようになっている。線路成端ユニット１８と局内装置側コネクタユニット２０の間には、センターコードトレイ３６が設置されており、ジャンパ光コード３２の中間はこのセンターコードトレイ３６に支持されている。
【００１４】キャビネット１６の最下部には、カプラモジュール３８が設置されている。カプラモジュール３８は、図３に示すように、ケース４０内に所要数の光カプラ（図示省略）を収納したものである。光カプラは、幹線用のＡポート及びＢポートと、分岐用のＣポート及びＤポートとを有する４端子型である。各光カプラのＡポートからは先端にＳＣコネクタ４４を取り付けた光コード４２が引き出され、先端のＳＣコネクタ４４は前記局内装置側コネクタユニット２０内のＳＣコネクタ３０に（図示しないＳＣアダプタを介して）接続される。またＢポートからは先端にＳＣコネクタ４８を取り付けた光コード４６が引き出され、先端のＳＣコネクタ４８は前記線路成端ユニット１８内のＳＣコネクタ２６に（図示しないＳＣアダプタを介して）接続される。またＣポート及びＤポートには多心型のＭＴアダプタ５０が取り付けられ、そのＭＴアダプタ５０に監視装置へ行く光ファイバ心線のＭＴコネクタが接続されるようになっている。監視装置行きの光ファイバ心線は多心の光ファイバテープ心線（例えば８心）で、一括して適当な保護部材を施した上で、キャビネット１６の背面に形成された開口５１（図２参照）を通して主配線盤１０の外に引き出される。
【００１５】カプラモジュール３８のＡポート、Ｂポートから引き出される先端コネクタ付き光コード４２及び４６はそれぞれ、ジャンパ光コード３２と同様に、中間をセンターコードトレイ３６に支持されている。したがって上記光コード４２及び４６はジャンパ光コード３２と同じ扱いで切替接続をすることができる。また上記光コード４２及び４６は必要最小限の長さで一定にすることができ、設計、製作が容易で、コスト安である。なおＣポート、ＤポートのＭＴアダプタ５０に接続されるのは、監視装置行きの（切替接続の必要がない）光ファイバ心線であるから、必要長の切断、コネクタの取付け等、製造が簡単であり、長さが多少長くなっても多心であるので通常の光コード（１心／１コード）に比べコストアップになる度合は少ない。
【００１６】キャビネット１６内には、局内装置側コネクタユニット２０の上に、第一の余長収納トレイ５２及び第二の余長収納トレイ５４が設置され、線路成端ユニット１８とカプラモジュール３８の間に第三の余長収納トレイ５６が設置されている。第一の余長収納トレイ５２は、局内装置側の光コード２８の余長を収納するものである。第二の余長収納トレイ５４は、カプラモジュール３８のＡポートから引き出されたコネクタ付き光コード４２で、局内装置側コネクタユニット２０に接続されずに保留されているものを収納しておくトレイである。第三の余長収納トレイ５６は、カプラモジュール３８のＢポートから引き出されたコネクタ付き光コード４６で、線路成端ユニット１８に接続されずに保留されているものを収納しておくトレイである。
【００１７】
〔実施形態２〕　図４は本発明の他の実施形態を示す。この光ケーブル主配線盤１０が実施形態１のものと異なる点は、カプラモジュール３８の各光カプラのＡポート、ＢポートにそれぞれＳＣアダプタ５８、６０を取り付け、Ａポートと局内装置側コネクタユニット２０間を両端にＳＣコネクタ４４の付いた光コード４２で接続し、Ｂポートと線路成端ユニット１８間を両端にＳＣコネクタ４８の付いた光コード４６で接続するようにしたことである。
【００１８】図５はこの実施形態で使用するカプラモジュール３８のアダプタ配列状態を示す。５８はＡポートのＳＣアダプタ、４２は局内装置側コネクタユニット２０へ行く光コード、４４はその両端に取り付けられたＳＣコネクタである。また６０はＢポートのＳＣアダプタ、４６は線路成端ユニット１８へ行く光コード、４８はその両端に取り付けられたＳＣコネクタである。また５０はＣポート、ＤポートのＭＴアダプタ、６２は監視装置へ行く光ファイバ心線、６４はその端部に取り付けられたＭＴコネクタである。
【００１９】上記以外の構成は、実施形態１と同じであるので、同一部分には同一符号を付して説明を省略する。
【００２０】
〔その他の実施形態〕　以上の実施形態では、キャビネット１６内の下部に線路成端ユニット１８を、上部に局内装置側コネクタユニット２０を設置して、これらの間にセンターコードトレイ３６を設置した場合を説明したが、これとは逆に、下部に局内装置側コネクタユニット２０を、上部に線路成端ユニット１８を設置して、これらの間にセンターコードトレイ３６を設置するようにしてもよい。
【００２１】ところで、光ケーブル主配線盤内に配線される光コードは、本数が多いため、錯綜しないように複数のグループに分けて配線している。図７〜図９に光コードの配線状態を示す。
【００２２】図７（イ）、（ロ）は局内装置側コネクタユニット２０から局内装置側の余長収納トレイ５２までの光コード２８の配線状態を示したものである。この例では、局内装置側コネクタユニット２０がＮｏ．１〜Ｎｏ．４のトレイグループに分かれており、各トレイグループの片側（Ｂ面）から出た光コード２８の束は、グループ毎に、キャビネット１６の側面壁内面（Ａ面）に取り付けられた配線ガイド６６とクランプ６８を通って余長収納トレイ５２まで配線されている。
【００２３】図８（イ）、（ロ）は上記局内装置側コネクタユニット２０とセンターコードトレイ３６間のジャンパ光コード３２の配線状態を示したものである。上記４つのトレイグループの反対側（Ｂ面）から出たジャンパ光コード３２の束は、グループ毎に、キャビネット１６の側面壁内面（Ａ面）に取り付けられた配線ガイド６６とクランプ６８を通ってセンターコードトレイ３６まで配線されている。センターコードトレイ３６のコード導入部にもクランプ６８が設置されている。
【００２４】図９（イ）、（ロ）は線路成端ユニット１８とセンターコードトレイ３６間のジャンパ光コード３２の配線状態を示したものである。この例では、線路成端ユニット１８が２つのトレイグループに分かれているが、各トレイグループから出たジャンパ光コード３２の束は、キャビネット１６の背面壁内面（Ｂ面）に取り付けられた配線ガイド７０を通過した後、前記図８と同じ４つのグループに分けられ、グループ毎に、キャビネット１６の側面壁内面（Ａ面）に取り付けられたクランプ６８を通ってセンターコードトレイ３６まで配線されている。センターコードトレイ３６のコード導入部にもクランプ６８が設置されている。
【００２５】光コードの配線に用いるクランプ６８は、プラスチック製で、図１０に示すように、キャビネット内面に取り付けられる凹形のクランプ本体７２と、このクランプ本体７２内に配置された光コードの束を押さえ付けるバー７４とからなるものである。バー７４のクランプ本体７２への取付け位置は光コードの量に応じて調整可能である。
【００２６】従来、この種のクランプ６８は全て同じ色であったため、光コードの配線時に配線ルートが分かりにくいという難点があった。そこで本発明では、光ケーブル主配線盤内に設置されるクランプ６８を、光コードのグループ毎に色分けしたものである。例えば図７〜図９のように、光コードを、局内装置側コネクタユニット２０のＮｏ．１〜Ｎｏ．４のトレイグループに対応するように、４つのグループに分けて配線する場合には、各グループの光コードの配線ルートに設置するクランプを次のように着色するのである。
Ｎｏ．１グループの光コードの配線ルートに設置するクランプは「青」
Ｎｏ．２グループの光コードの配線ルートに設置するクランプは「黄」
Ｎｏ．３グループの光コードの配線ルートに設置するクランプは「緑」
Ｎｏ．４グループの光コードの配線ルートに設置するクランプは「赤」
それ以外の光コードの配線ルートに設置するクランプは「桃」
【００２７】クランプ６８を上記のように色分けしておけば、主配線盤内の光コードの配線ルートを容易に識別することができ、配線作業を効率よく、間違いなく行なうことができる。
【００２８】
【発明の効果】以上説明したように本発明によれば、光ケーブル主配線盤のキャビネット内にカプラモジュールを設置したことにより、カプラモジュールのＡポート、Ｂポートから局内装置側コネクタユニット及び線路成端ユニットへ行くコネクタ付き光コードを、切替接続用のジャンパ光コードと同様に取り扱うことができ、配線作業、切替接続作業を簡単に効率よく行なうことができる。またカプラモジュールから局内装置側コネクタユニット及び線路成端ユニットへ行くコネクタ付き光コードは、長さを一定にすることができるので、設計、製作が容易であり、また必要最小限の長さにすることができるので、コストを低減できる。
【図面の簡単な説明】
【図１】本発明に係る光ケーブル主配線盤の一実施形態を示す配線経路説明図。
【図２】図１の光ケーブル主配線盤の、（Ａ）は扉を開いた状態の正面図、（Ｂ）は扉を閉めた状態の正面図。
【図３】図１の光ケーブル主配線盤に用いたカプラモジュールの、（Ａ）は平面図、（Ｂ）は正面図、（Ｃ）は左側面図、（Ｄ）は右側面図。
【図４】本発明に係る光ケーブル主配線盤の他の実施形態を示す配線経路説明図。
【図５】図４の光ケーブル主配線盤に用いたカプラモジュールのアダプタ配列状態を示す正面図。
【図６】光ケーブル主配線盤と監視装置との関係を示すシステム構成図。
【図７】光ケーブル主配線盤内の局内装置側コネクタユニットと余長収納トレイ間の光コードの配線状態を示す、（イ）は配線面説明図、（ロ）は展開図。
【図８】光ケーブル主配線盤内の局内装置側コネクタユニットとセンターコードトレイ間の光コードの配線状態を示す、（イ）は配線面説明図、（ロ）は展開図。
【図９】光ケーブル主配線盤内の線路成端ユニットとセンターコードトレイ間の光コードの配線状態を示す、（イ）は配線面説明図、（ロ）は展開図。
【図１０】光ケーブル主配線盤内の光コードの配線に用いるクランプを示す、（イ）は正面図、（ロ）は平面図、（ハ）は側面図。
【符号の説明】
１０：光ケーブル主配線盤
１２：監視装置
１６：キャビネット
１８：線路成端ユニット
２０：局内装置側コネクタユニット
２６：ＳＣコネクタ
２８：局内装置側光コード
３０：ＳＣコネクタ
３２：ジャンパ光コード
３４：ＳＣコネクタ
３６：センターコードトレイ
３８：カプラモジュール
４２：Ａポートから出る光コード
４４：ＳＣコネクタ
４６：Ｂポートから出る光コード
４８：ＳＣコネクタ
５０：Ｃ、ＤポートのＭＴアダプタ
５８、６０：Ａ、ＢポートのＳＣアダプタ
６２：監視装置行きの光ファイバ心線
６４：ＭＴコネクタ
【図１】
2004126481.tif 000003
【図２】
2004126481.tif 000004
【図３】
2004126481.tif 000005
【図４】
2004126481.tif 000006
【図５】
2004126481.tif 000007
【図６】
2004126481.tif 000008
【図７】
2004126481.tif 000009
【図８】
2004126481.tif 000010
【図９】
2004126481.tif 000011
【図１０】
2004126481.tif 000012